(57)【要約】【課題】経年変化に強い内挿誤差補正を簡易的に行う、位置検出器の精度補正方法を提供する。【解決手段】ｎ番目の節目からｎ＋１番目の節目までを移動する時間をＴとし、平均速度ＳをＳ＝ｐ／Ｔより求め、内挿誤差Ｅn［ｉ］をＥn［ｉ］＝Ｇn［ｉ］−ｉ・Ｓ・Δｔ−Ｇn［０］より求め、現在の二次側部材の相対位置が検出位置Ｇmであるものとし、ｎ−ａ≦ｍ≦ｎ＋ａ（ａは予め規定した整数）のとき、｜Ｇm−Ｇn［ｉ］｜が最小となるｉ＝Ｉの内挿誤差Ｅn［Ｉ］を求め、検出位置Ｘ´をＸ´＝ｐ・ｍ＋Ｇm−Ｅn［Ｉ］より求めることで、経年変化に強い内挿誤差補正を簡易的に行う、位置検出器の精度補正方法を提供することができる。【選択図】図１
2014153344.tif 000002
【特許請求の範囲】
【請求項１】
被測定対象が一定のピッチでパターン配置される一次側部材と、測定部である二次側部材との相対位置を、一定の速度又は角速度で変化させることで、位置の検出を行う位置検出器の精度補正方法であって、
前記二次側部材の相対位置が、前記被測定対象のｎ番目の節目を通過してからｎ＋１番目の節目に到達するまでの、１ピッチの長さ又は角度ｐを移動する間に、一定時間間隔Δｔごとに検出したピッチ範囲内における時刻ｉ・Δｔ（ｉはサンプリング番号０〜Ｎ−１の自然数）での変位量Ｇn［ｉ］を記憶し、
前記ｎ番目の節目から前記ｎ＋１番目の節目までの前記ｐを移動する時間をＴとし、平均速度又は平均角速度Ｓを
Ｓ＝ｐ／Ｔ
より求め、
前記ｎ番目の節目から前記ｎ＋１番目の節目までのピッチでの内挿誤差Ｅn［ｉ］を
Ｅn［ｉ］＝Ｇn［ｉ］−ｉ・Ｓ・Δｔ−Ｇn［０］
より求め、
現在の前記二次側部材の相対位置である検出位置が、ｍ番目の節目からｍ＋１番目の節目までのピッチ範囲内における検出位置Ｇmであるものとし、ｎ−ａ≦ｍ≦ｎ＋ａ（ａは予め規定した整数）である場合、｜Ｇm−Ｇn［ｉ］｜が最小となるｉ＝Ｉの内挿誤差Ｅn［Ｉ］を求め、前記被測定対象の零点位置からの位置である検出位置Ｘ´を
Ｘ´＝ｐ・ｍ＋Ｇm−Ｅn［Ｉ］
より求める
ことを特徴とする位置検出器の精度補正方法。
【請求項２】
過去に前記内挿誤差Ｅn［ｉ］をｋ（ｋ：整数）回取得し、平均内挿誤差Ｅna［ｉ］を求めていれば、今回の前記内挿誤差Ｅn［ｉ］を含んだ平均内挿誤差Ｅna´［ｉ］を
Ｅna´［ｉ］＝（Ｅn［ｉ］＋ｋ・Ｅna［ｉ］）／（ｋ＋１）
より求め、
｜Ｇm−Ｇn［ｉ］｜が最小となるｉ＝Ｉの平均内挿誤差Ｅna´［Ｉ］を求め、前記検出位置Ｘ´を
Ｘ´＝ｐ・ｍ＋Ｇm−Ｅna´［Ｉ］
より求める
ことを特徴とする請求項１に記載の位置検出器の精度補正方法。
【発明の詳細な説明】
【技術分野】
【０００１】
本発明は、位置検出器の精度補正方法に関する。
【背景技術】
【０００２】
電磁誘導式位置検出器であるインダクトシン方式のスケールは、工作機械、自動車及びロボットなどの各種機械の位置検出部に適用される。インダクトシン方式のスケールにはリニア形スケールとロータリ形スケールとがあり、リニア形スケールは、例えば工作機械の直線移動軸に適用されて当該直線移動軸上の移動位置を検出し、ロータリ形スケールは、例えば工作機械の回転軸に適用されて当該回転軸の回転角度を検出する。
【０００３】
リニア形スケール及びロータリ形スケールは、平行に向かい合わせに配置したコイルパターンの電磁誘導により位置を検出するものである。この検出原理を図５の原理図に基づいて説明する。図５（ａ）はリニア形スケールのスライダとスケールを平行に向い合せにした状態を示した斜視図、図５（ｂ）は前記スライダと前記スケールを並べて示した模式図、図５（ｃ）は、前記スライダと前記スケールの電磁結合度を示したグラフである。なお、図５にはリニア形スケールの原理図を示しているが、ロータリ形スケールの原理も同様であり、ロータリ形スケールのステータとロータが、それぞれリニア形スケールのスライダとスケールに対応している。
【０００４】
図５（ａ）（ｂ）に示すように、リニア形スケールの検出部は一次部材としてのスライダ１１と二次部材としてのスケール１２とを有している。可動部であるスライダ１１は第１の一次側コイルとしての第１スライダ側コイル１３と、第２の一次側コイルとしての第２スライダ側コイル１４とを有しており、固定部であるスケール１２は二次側コイルとしてのスケール側コイル１５を有している。これらのコイル１３，１４，１５はジグザグ状に折り返され（すなわち櫛型パターンに形成され）かつ全体が直線状となっている。また、コイル１３，１４，１５は互いに１ピッチの長さが等しくなっている。
【０００５】
そして、図５（ａ）に示すように、第１スライダ側コイル１３及び第２スライダ側コイル１４と、スケール側コイル１５は、これらの間に規定の範囲内のギャップｇを保持した状態で平行に向い合せて配置されている。また、図５（ａ）及び図５（ｂ）に示すように、第１スライダ側コイル１３と第２スライダ側コイル１４とは、スケール側コイル１５との関係が１／４ピッチずれている。
【０００６】
よって、第１スライダ側コイル１３と第２スライダ側コイル１４とに交流電流を流し、スライダ１１が図５（ａ）の矢印Ａの如くスケール１２の長手方向に沿って移動すると、このスライダ１１の移動による第１スライダ側コイル１３及び第２スライダ側コイル１４と、スケール側コイル１５との相対的な位置関係の変化に応じて、図５（ｃ）に示すように第１スライダ側コイル１３及び第２スライダ側コイル１４と、スケール側コイル１５との電磁結合度が周期的に変化するため、スケール側コイル１５には周期的に変化する電圧が発生する。したがって、当該電圧に基づいてスケール１２の位置（すなわちスケール１２に対するスライダ１１の位置）を検出することができる。
【０００７】
ここで、第１スライダ側コイル１３に下記第１交流電流Ｉsを流し、第２スライダ側コイル１４に下記第２交流電流Ｉcを流すとする。
【０００８】
Ｉs＝−Ｉ・ｃｏｓ（ｋα）・ｓｉｎ（ωｔ）
Ｉc＝Ｉ・ｓｉｎ（ｋα）・ｓｉｎ（ωｔ）
ただし、Ｉ：電流の大きさ
ｐ：コイルの１ピッチの長さ（ロータリ形スケールでは角度）
ｋ：２π／ｐ
ω：交流電流の角周波数
ｔ：時刻
α：励振位置
【０００９】
このような場合、理想的なリニア形スケール（又はロータリ形スケール）であれば、スケールコイル１３には下記電圧Ｖが発生する。
【００１０】
Ｖ＝Ｋ（ｇ）・Ｉ・ｓｉｎ（ｋ（Ｘ−α））・ｓｉｎ（ωｔ）      …（１）
ただし、Ｋ：ギャップｇに依存する係数
Ｘ：スケールの検出位置（スケールに対しての長手方向におけるスライダの検出位置）
【００１１】
また、上記（１）式をサンプリングした、電圧Ｖのピーク振幅Ｖpは、下記値となる。
【００１２】
Ｖp＝Ｋ（ｇ）・Ｉ・ｓｉｎ（ｋ（Ｘ−α））      …（２）
【００１３】
そこで、検出位置Ｘに対し励振位置αを追従させて、α＝ＸすなわちＶp＝０となるように制御し、このときの励振位置αの値を、検出位置Ｘとする。
【先行技術文献】
【特許文献】
【００１４】
【特許文献１】特開２００３−２５４７８５号公報
【発明の概要】
【発明が解決しようとする課題】
【００１５】
しかしながら、現実のリニア形スケール（又はロータリ形スケール）は、製造誤差や組付誤差により上記（２）式の関係が成立せず、検出位置Ｘには誤差が伴う。
【００１６】
一般的に誤差として顕著に現れるのは、スケール側コイルにおけるコイルピッチ（パターンピッチ）周期／整数の周期誤差であり、これを内挿誤差という。
【００１７】
製造誤差によるパターンの不均一性や、スケール側コイルとスライダ側コイルの傾きの変化により、実際の内挿誤差は、完全にサイクリックなものとはならず、コイルピッチごとに異なるものとなる。
【００１８】
よって、スケール側コイルにおける全てのコイルピッチに対して同一の補正値を用いて補正を行っても、内挿誤差の除去が困難であるという課題がある。
【００１９】
また、上記特許文献１のように、スケール側コイルにおける各コイルピッチの内挿誤差を予め記憶して、その値を用いて補正を行うといった手段では、余計な手間がかかってしまい、さらには取付けの経年変化による内挿誤差の変動を補正することができないという課題がある。
【００２０】
そこで本発明では、経年変化に強い内挿誤差補正を簡易的に行う、位置検出器の精度補正方法を提供することを目的とする。
【課題を解決するための手段】
【００２１】
上記課題を解決する第１の発明に係る位置検出器の精度補正方法は、
被測定対象が一定のピッチでパターン配置される一次側部材と、測定部である二次側部材との相対位置を、一定の速度又は角速度で変化させることで、位置の検出を行う位置検出器の精度補正方法であって、
前記二次側部材の相対位置が、前記被測定対象のｎ番目の節目を通過してからｎ＋１番目の節目に到達するまでの、１ピッチの長さ又は角度ｐを移動する間に、一定時間間隔Δｔごとに検出したピッチ範囲内における時刻ｉ・Δｔ（ｉはサンプリング番号０〜Ｎ−１の自然数）での変位量Ｇn［ｉ］を記憶し、
前記ｎ番目の節目から前記ｎ＋１番目の節目までの前記ｐを移動する時間をＴとし、平均速度又は平均角速度Ｓを
Ｓ＝ｐ／Ｔ
より求め、
前記ｎ番目の節目から前記ｎ＋１番目の節目までのピッチでの内挿誤差Ｅn［ｉ］を
Ｅn［ｉ］＝Ｇn［ｉ］−ｉ・Ｓ・Δｔ−Ｇn［０］
より求め、
現在の前記二次側部材の相対位置である検出位置が、ｍ番目の節目からｍ＋１番目の節目までのピッチ範囲内における検出位置Ｇmであるものとし、ｎ−ａ≦ｍ≦ｎ＋ａ（ａは予め規定した整数）である場合、｜Ｇm−Ｇn［ｉ］｜が最小となるｉ＝Ｉの内挿誤差Ｅn［Ｉ］を求め、前記被測定対象の零点位置からの位置である検出位置Ｘ´を
Ｘ´＝ｐ・ｍ＋Ｇm−Ｅn［Ｉ］
より求める
ことを特徴とする。
【００２２】
上記課題を解決する第２の発明に係る位置検出器の精度補正方法は、
上記第１の発明に係る位置検出器の精度補正方法において、
過去に前記内挿誤差Ｅn［ｉ］をｋ（ｋ：整数）回取得し、平均内挿誤差Ｅna［ｉ］を求めていれば、今回の前記内挿誤差Ｅn［ｉ］を含んだ平均内挿誤差Ｅna´［ｉ］を
Ｅna´［ｉ］＝（Ｅn［ｉ］＋ｋ・Ｅna［ｉ］）／（ｋ＋１）
より求め、
｜Ｇm−Ｇn［ｉ］｜が最小となるｉ＝Ｉの平均内挿誤差Ｅna´［Ｉ］を求め、前記検出位置Ｘ´を
Ｘ´＝ｐ・ｍ＋Ｇm−Ｅna´［Ｉ］
より求める
ことを特徴とする。
【発明の効果】
【００２３】
上記第１の発明に係る位置検出器の精度補正方法によれば、被測定対象が一定のピッチでパターン配置される一次側部材と、測定部である二次側部材との相対位置を、一定の速度又は角速度で変化させることで、位置の検出を行う位置検出器の精度補正方法であって、前記二次側部材の相対位置が、前記被測定対象のｎ番目の節目を通過してからｎ＋１番目の節目に到達するまでの、１ピッチの長さ又は角度ｐを移動する間に、一定時間間隔Δｔごとに検出したピッチ範囲内における時刻ｉ・Δｔ（ｉはサンプリング番号０〜Ｎ−１の自然数）での変位量Ｇn［ｉ］を記憶し、前記ｎ番目の節目から前記ｎ＋１番目の節目までの前記ｐを移動する時間をＴとし、平均速度又は平均角速度ＳをＳ＝ｐ／Ｔより求め、前記ｎ番目の節目から前記ｎ＋１番目の節目までのピッチでの内挿誤差Ｅn［ｉ］をＥn［ｉ］＝Ｇn［ｉ］−ｉ・Ｓ・Δｔ−Ｇn［０］より求め、現在の前記二次側部材の相対位置である検出位置が、ｍ番目の節目からｍ＋１番目の節目までのピッチ範囲内における検出位置Ｇmであるものとし、ｎ−ａ≦ｍ≦ｎ＋ａ（ａは予め規定した整数）である場合、｜Ｇm−Ｇn［ｉ］｜が最小となるｉ＝Ｉの内挿誤差Ｅn［Ｉ］を求め、前記被測定対象の零点位置からの位置である検出位置Ｘ´をＸ´＝ｐ・ｍ＋Ｇm−Ｅn［Ｉ］より求めるので、経年変化に強い内挿誤差補正を簡易的に行うことが可能となる。
【００２４】
上記第２の発明に係る位置検出器の精度補正方法によれば、過去に前記内挿誤差Ｅn［ｉ］をｋ（ｋ：整数）回取得し、平均内挿誤差Ｅna［ｉ］を求めていれば、今回の前記内挿誤差Ｅn［ｉ］を含んだ平均内挿誤差Ｅna´［ｉ］をＥna´［ｉ］＝（Ｅn［ｉ］＋ｋ・Ｅna［ｉ］）／（ｋ＋１）より求め、｜Ｇm−Ｇn［ｉ］｜が最小となるｉ＝Ｉの平均内挿誤差Ｅna´［Ｉ］を求め、前記検出位置Ｘ´をＸ´＝ｐ・ｍ＋Ｇm−Ｅna´［Ｉ］より求めるので、運転を繰り返すほど補正精度が向上する。
【図面の簡単な説明】
【００２５】
【図１】本発明の実施例１に係る位置検出器の精度補正方法を説明するフローチャートである。
【図２】スケール側コイルのピッチと検出位置と節目との関係を説明する模式図である。
【図３】コイルピッチ範囲内における変位量と時間と内挿誤差との関係を示すグラフである。
【図４】本発明の実施例１に係る位置検出器の精度補正方法を用いて補正を行った場合の検出位置と誤差との関係を示すグラフである。
【図５】インダクトシン方式のスケールの原理図である。（ａ）は、リニア形スケールのスライダとスケールを平行に向い合せにした状態を示した斜視図、（ｂ）は、前記スライダと前記スケールを並べて示した模式図、（ｃ）は、前記スライダと前記スケールの電磁結合度を示したグラフである。
【発明を実施するための形態】
【００２６】
電磁誘導式スケールは複数のコイルで電磁結合するので結合度は平均化される。それゆえ、隣同士の２つのコイルピッチの内挿誤差の分布は似通っている。よって、本発明に係る位置検出器の精度補正方法では、近接するコイルピッチの誤差を用いて補正を行う。
【００２７】
すなわち、本発明に係る位置検出器の精度補正方法では、スライダの移動中に、現在の位置に近接するコイルピッチでの誤差を取得して、内挿誤差データ（補正データ）を求め、当該データを用いて現在の位置のコイルピッチでの補正を行うという作業を、各コイルピッチに対して行う。これにより、内挿誤差のコイルピッチ位置依存性を低減して補正することができる。
【００２８】
以下、本発明に係る位置検出器の精度補正方法を実施例にて図面を用いて説明する。
【実施例１】
【００２９】
本発明の実施例１に係る位置検出器の精度補正方法について図面を用いて説明する。図１は本方法を説明するフローチャートである。また、図２はコイルピッチと検出位置と節目との関係を説明する模式図である。さらに、図３はコイルピッチ範囲内における変位量と時間と内挿誤差との関係を示すグラフであり、横軸がコイルピッチ範囲内における変位量Ｇn［ｉ］（詳細は下記参照）、縦軸が時間ｔを示している。以下、図１のフローチャートに基づいて説明する。
【００３０】
ステップＳ１では、図２において、スライダがスケール側コイルのｎ番目の節目を通過する。
【００３１】
ステップＳ２では、図２において、スライダが、スケール側コイルのｎ番目の節目を通過してから隣（ｎ＋１番目）の節目に到達するまでの、１ピッチの長さｐを移動する間に、一定時間間隔Δｔごとに検出したコイルピッチ範囲内における時刻ｉ・Δｔ（ｉはサンプリング番号０〜Ｎ−１の自然数）での変位量を変位量Ｇn［ｉ］とし、当該変位量Ｇn［ｉ］を記憶する。
【００３２】
上記一定時間間隔Δｔと上記変位量Ｇn［ｉ］との関係の一例を、図３のグラフ中では黒点として示している。当該黒点の縦軸上の間隔は全てΔｔである。なお、図３中のグラフに示すように、Ｇn［Ｎ］−Ｇn［０］＝ｐであり、通常はＧn［０］＝０である。
【００３３】
ステップＳ３では、上記ｎ番目から上記ｎ＋１番目までの上記ｐを移動する時間Ｔ（図３参照）が、規定時間未満であるか否かを判断する。規定時間未満の場合は、上記ｎ番目からｎ＋１番目におけるスライダの移動速度は高速であるとみなして、ステップＳ４に移行する。規定時間以上の場合は、前記移動速度が高速でないとみなして、ステップＳ１に戻る。
【００３４】
ステップＳ４では、平均速度Ｓ＝ｐ／Ｔから、上記ｎ番目の節目から上記ｎ＋１番目の節目までのコイルピッチでの内挿誤差Ｅn［ｉ］を下記式にて求める。
【００３５】
Ｅn［ｉ］＝Ｇn［ｉ］−ｉ・Ｓ・Δｔ−Ｇn［０］
【００３６】
すなわち、スライダが一定の速度でｐをＴで通過する場合の理想的なＧn［ｉ］とΔｔとの関係は、図３のグラフ中の斜めの直線となるが、現実には黒点の位置となるものとすると、各黒点から前記実線にそれぞれ横軸方向に線分を引いたとき、当該線分の長さが内挿誤差Ｅn［ｉ］となる。この手順を数式化したものが上記式である。
【００３７】
ステップＳ５では、内挿誤差Ｅn［ｉ］が規定値以下か否かを判断する。規定値以下の場合は、ステップＳ６へ移行し、規定値より大きい場合は、スケール側コイルの内挿誤差としては大きすぎる（誤差の検出ができなかった）と判断し、ステップＳ１に戻る。
【００３８】
ステップＳ６では、過去に内挿誤差Ｅn［ｉ］をｋ回取得し、平均内挿誤差Ｅna［ｉ］を求めていれば、今回の前記内挿誤差Ｅn［ｉ］を含んだ平均内挿誤差Ｅna´［ｉ］を下記式にて求めてもよい（内挿誤差Ｅn［ｉ］は常にＥＥＰＲＯＭに記憶し、電源再起動後も活用できるようにしておく）。
【００３９】
Ｅna´［ｉ］＝（Ｅn［ｉ］＋ｋ・Ｅna［ｉ］）／（ｋ＋１）
【００４０】
本方法では、上記ステップＳ１〜Ｓ６によって、内挿誤差データを取得する。なお、上記「ステップＳ１に戻る」とは、次のコイルピッチにおいて再度ステップＳ１から行うという意味である。
【００４１】
ステップＳ７では、下記手順により検出位置Ｘの補正を行う。
【００４２】
まず、従来技術により、補正前の検出位置Ｘとコイルピッチ範囲内における検出位置とは同時に検出できる。現在のスライダの位置である検出位置が、ｍ番目の節目からｍ＋１番目の節目までのコイルピッチ範囲内における検出位置Ｇmであるものとし、補正前の、スケール側コイルの零点位置からの検出位置Ｘは下記式より求められる。
【００４３】
Ｘ＝ｐ・ｍ＋Ｇm
【００４４】
ここで、スケール側コイルのｍ番目の節目が、ステップＳ１〜Ｓ６において内挿誤差データを取得したｎ番目の節目に近接している、すなわちｎ−ａ≦ｍ≦ｎ＋ａ（ａは予め規定した整数）である場合、｜Ｇm−Ｇn［ｉ］｜が最小となるｉを求める。ただし、前記ａについては、好ましくは１、すなわちｎ＝ｍ±１であるが、ｎ＝ｍ±１において内挿誤差データの検出ができなかった場合は、別の内挿誤差データを用いることになるため、ここでは「近接」と表現している。また、過去にｍ番目の節目の内挿誤差を求めていれば、ａ＝０としてもよい。
【００４５】
そして、上記｜Ｇm−Ｇn［ｉ］｜が最小となるｉ＝Ｉの内挿誤差Ｅn［Ｉ］を求め、補正後の、スケール側コイルの零点位置からの検出位置Ｘ´を下記式から求める。
【００４６】
Ｘ´＝ｐ・ｍ＋Ｇm−Ｅn［Ｉ］
【００４７】
ただし、ステップＳ６において、平均内挿誤差Ｅna´［ｉ］を求めている場合は、｜Ｇm−Ｇn［ｉ］｜が最小となるｉ＝Ｉの平均内挿誤差Ｅna´［Ｉ］を求め、補正後の、スケール側コイルの零点位置からの位置である検出位置Ｘ´を下記式から求める。
【００４８】
Ｘ´＝ｐ・ｍ＋Ｇm−Ｅna´［Ｉ］
【００４９】
図４は本方法を用いて補正を行った場合の検出位置と誤差との関係を示すグラフであり、横軸が実際の検出位置を、縦軸が実際の検出位置と上記検出位置Ｘ，Ｘ´との誤差を示しており、当該グラフ中の実線はＸ´に関して、当該グラフ中の破線はＸに関してのデータである。当該グラフに示すように、補正前の検出位置Ｘに比べ、補正後の検出位置Ｘ´は実際の検出位置との誤差が低減される。
【００５０】
なお、上記ステップＳ１〜Ｓ７の手順では補正のための運転を意図的に行わない方法を示したが、当該方法では補正精度が運転履歴の増大に伴い向上するようになる。このように補正精度が運転履歴に依存することが嫌気される場合は、予め高速一定速度で全ストローク移動させることで補正のための運転を実施すればよい。
【００５１】
また、本方法をリニア形スケールに適用した場合について説明したが、勿論ロータリ形スケールに対しても適用できる。ロータリ形スケールに適用する場合は、上記スケールをステータに、上記スケールをロータに、上記長さを角度に、上記速度を角速度に、それぞれ置換すればよい。
【００５２】
さらにいえば、本方法の適用対象は、電磁誘導式位置検出器であるインダクトシン方式のスケールに限定されるものではない。
【００５３】
例えば、特開平４−１２５４０９の第５図に開示されるような光学式エンコーダにおいて、上記ステップＳ１〜Ｓ７を適用することができる。その際、上記スライダを、光源１１、コリーメータレンズ１２、インデックススケール１６及び受光素子１７に、上記スケール側コイルを、メインスケール１３内の格子１４に、上記コイルピッチを、格子１４のピッチＰに、それぞれ置換する。ただし、特開平４−１２５４０９の第５図に開示される光学式エンコーダにおける可動部は、スライダ（光源１１、コリーメータレンズ１２、インデックススケール１６及び受光素子１７）ではなく、スケール及びスケール側コイル（メインスケール１３内の格子１４）となる。
【００５４】
以上、本発明の実施例１に係る位置検出器の精度補正方法について説明したが、換言すれば本方法は、被測定対象が一定のピッチでパターン配置される一次側部材と、測定部である二次側部材との相対位置を、一定の速度又は角速度で変化させることで、位置の検出を行う位置検出器の精度補正方法であって、前記二次側部材の相対位置が、前記被測定対象のｎ番目の節目を通過してからｎ＋１番目の節目に到達するまでの、１ピッチの長さ又は角度ｐを移動する間に、一定時間間隔Δｔごとに検出したピッチ範囲内における時刻ｉ・Δｔ（ｉはサンプリング番号０〜Ｎ−１の自然数）での変位量Ｇn［ｉ］を記憶し、前記ｎ番目の節目から前記ｎ＋１番目の節目までの前記ｐを移動する時間をＴとし、平均速度又は平均角速度ＳをＳ＝ｐ／Ｔより求め、前記ｎ番目の節目から前記ｎ＋１番目の節目までのピッチでの内挿誤差Ｅn［ｉ］をＥn［ｉ］＝Ｇn［ｉ］−ｉ・Ｓ・Δｔ−Ｇn［０］より求め、現在の前記二次側部材の相対位置である検出位置が、ｍ番目の節目からｍ＋１番目の節目までのピッチ範囲内における検出位置Ｇmであるものとし、ｎ−ａ≦ｍ≦ｎ＋ａ（ａは予め規定した整数）である場合、｜Ｇm−Ｇn［ｉ］｜が最小となるｉ＝Ｉの内挿誤差Ｅn［Ｉ］を求め、前記被測定対象の零点位置からの位置である検出位置Ｘ´をＸ´＝ｐ・ｍ＋Ｇm−Ｅn［Ｉ］より求めるものである。
【００５５】
これによって、本方法では、位置検出器自身で補正を行うため、基準となる位置検出器を用いる必要がなく、補正のための運転を別途行う必要もないことから、簡易的に内挿誤差補正を行うことができる。また、経年変化に強い内挿誤差補正を行うことが可能となる。さらに、位置に依存した補正が可能となり、補正の効果がより発揮できる。
【００５６】
さらに本方法は、過去に前記内挿誤差Ｅn［ｉ］をｋ（ｋ：整数）回取得し、平均内挿誤差Ｅna［ｉ］を求めていれば、今回の前記内挿誤差Ｅn［ｉ］を含んだ平均内挿誤差Ｅna´［ｉ］をＥna´［ｉ］＝（Ｅn［ｉ］＋ｋ・Ｅna［ｉ］）／（ｋ＋１）より求め、｜Ｇm−Ｇn［ｉ］｜が最小となるｉ＝Ｉの平均内挿誤差Ｅna´［Ｉ］を求め、前記検出位置Ｘ´をＸ´＝ｐ・ｍ＋Ｇm−Ｅna´［Ｉ］より求めてもよい。
【００５７】
これによって、本方法では、内挿誤差データが逐次更新されるので、運転を繰り返すほど補正精度が向上する。
【産業上の利用可能性】
【００５８】
本発明は位置検出器の精度補正方法として好適である。
【符号の説明】
【００５９】
１１  スライダ
１２  スケール
１３  第１スライダ側コイル
１４  第２スライダ側コイル
１５  スケール側コイル
【図１】
2014153344.tif 000003
【図２】
2014153344.tif 000004
【図３】
2014153344.tif 000005
【図４】
2014153344.tif 000006
【図５】
2014153344.tif 000007